(57)【要約】【課題】レンズを保持した状態で閉空間が形成されることがないようにする。【解決手段】レンズ基材２の外周部に下方から接触する第１の保持部材３と、レンズ基材２の外周部に水平方向の一方と他方とから接触する第２の保持部材４、第３の保持部材５とを備える。第１〜第３の保持部材３〜５は、レンズ基材２の厚み方向への移動を規制し、レンズ基材２を略垂直に保持する。第１〜第３の保持部材３〜５を支持するラック本体６を備える。第１〜第３の保持部材３〜５は、レンズ基材２に接触する接触部３ａ，４ａ，５ａからレンズ基材２の厚み方向に延びる水平方向延在部３ｂ，４ｂ，５ｂをそれぞれ有する。水平方向延在部３ｂ，４ｂ，５ｂは、レンズ基材２より前記厚み方向に離間した位置においてラック本体６に接続されている。【選択図】  図１
2012048005.tif 000002
【特許請求の範囲】
【請求項１】
レンズ基材の外周部に下方から接触してレンズ基材の厚み方向への移動を規制する第１の保持部材と、
前記レンズ基材の外周部に水平方向の一方から接触してレンズ基材の厚み方向への移動を規制する第２の保持部材と、
前記レンズ基材の外周部に水平方向の他方から接触してレンズ基材の厚み方向への移動を規制し、前記第１の保持部材および前記第２の保持部材と協働してレンズ基材を略垂直に保持する第３の保持部材と、
前記第１ないし第３の保持部材を支持するラック本体とを備え、
前記第１ないし第３の保持部材は、レンズ基材に接触する接触部からレンズ基材の厚み方向に延びる水平方向延在部をそれぞれ有し、
前記水平方向延在部は、第１ないし第３の保持部材に保持されたレンズ基材より前記厚み方向に離間した位置において前記ラック本体に接続されていることを特徴とするレンズ保持用ラック。
【請求項２】
請求項１記載のレンズ保持用ラックにおいて、前記第１ないし第３の保持部材は、それぞれレンズ基材の厚み方向に延びるように形成され、かつ前記厚み方向の両端部において前記ラック本体にそれぞれ支持され、
前記第１ないし第３の保持部材の前記各接触部は、第１ないし第３の保持部材の長手方向において同一位置に位置しかつ前記長手方向に所定の間隔をおいて並ぶように複数ずつ設けられ、
前記第１の保持部材の下端部には、この第１の保持部材の長手方向と直交する水平方向から見て谷と山とが交互に繰り返される形状の鋸刃状部が形成されていることを特徴とするレンズ保持用ラック。
【請求項３】
請求項２記載のレンズ保持用ラックにおいて、第２の保持部材と第３の保持部材の前記接触部は、レンズ基材に上端部が接触するように上下方向に延びるアームによって形成され、
前記アームは、自らの弾性で前記レンズ基材に押し付けられるように形成されていることを特徴とするレンズ保持用ラック。
【請求項４】
請求項２または請求項３に記載のレンズ保持用ラックにおいて、第１ないし第３の保持部材は、レンズ基材の厚み方向から見てラック本体を挟んで水平方向の一方と他方とにそれぞれ振り分けられるように配設され、
前記ラック本体の下端は、第１ないし第３の保持部材の下端より下方に突出する位置に形成されていることを特徴とするレンズ保持用ラック。
【発明の詳細な説明】
【技術分野】
【０００１】
本発明は、眼鏡レンズを略垂直に立てた状態で保持するレンズ保持用ラックに関するものである。
【背景技術】
【０００２】
従来、眼鏡用レンズ（以下、単にレンズという）にハードコート膜や反射防止膜などの膜を設けるためには、いわゆる浸漬法によって行われている。この浸漬法は、成膜用の塗布液が貯留された塗布液槽内にレンズを浸漬させ、所定時間経過後に引き上げ、その後、レンズを乾燥させることによって行われている。従来においては、多数のレンズを一つのラックに保持させた状態で前記浸漬工程と前記乾燥工程とが実施されている。
【０００３】
前記ラックは、例えば数十枚のレンズを略垂直に立てた状態で保持する構造が採られている。従来のこの種のラックとしては、例えば特許文献１の図８に開示されているものがある。この従来のレンズ保持用ラックは、成膜を行うレンズ基材を略垂直状態として載せるための第１の保持部材と、レンズ基材の外周部に水平方向の一方と他方とから接触する第２、第３の保持部材と、これらのレンズ毎の第１〜第３の保持部材を支持するラック本体などを備えている。
【０００４】
前記第１の保持部材は、上方から見てレンズ基材に沿うように側方に延びる腕部を有し、この腕部を介してラック本体に支持されている。この腕部の中間部に第２、第３の保持部材のうち一方の保持部材が設けられている。すなわち、第１の保持部材の腕部と、前記一方の保持部材と、レンズ基材の外周部とによって、レンズ基材の厚み方向から見て閉じた空間が形成されることになる。
【０００５】
ところで、前記塗布液中には、レンズ基材上に均一な膜が形成されるようにレベリング剤が添加されることがある。レベリング剤が添加されている塗布液は、泡や膜が発生し易くなる。このような塗布液中に上述したラックを使用してレンズ基材を浸漬させ、引き上げると、前記閉じた空間に膜や気泡が形成され易くなる。前記膜や気泡は、レンズ基材が塗布液槽から引き上げられた後に破れる。
【先行技術文献】
【特許文献】
【０００６】
【特許文献１】特開２００３−７１６５０号公報
【発明の概要】
【発明が解決しようとする課題】
【０００７】
しかしながら、レンズ基材を塗布液から引き上げた後に上述した膜や気泡が破れると、飛沫が生じ、この飛沫がレンズ面に付着してしまう。レンズ面に塗布液の飛沫が付着すると、レンズ面上の塗膜に微小な凹凸が形成されてしまい、塗布不良となる。
【０００８】
本発明はこのような問題を解消するためになされたもので、レンズを保持した状態で閉空間が形成されることがなく、レンズに膜厚が均一な塗布を可能にし、塗布不良が発生しないレンズ保持用ラックを提供することを目的とする。
【課題を解決するための手段】
【０００９】
この目的を達成するために、本発明に係るレンズ保持用ラックは、レンズ基材の外周部に下方から接触してレンズ基材の厚み方向への移動を規制する第１の保持部材と、前記レンズ基材の外周部に水平方向の一方から接触してレンズ基材の厚み方向への移動を規制する第２の保持部材と、前記レンズ基材の外周部に水平方向の他方から接触してレンズ基材の厚み方向への移動を規制し、前記第１の保持部材および前記第２の保持部材と協働してレンズ基材を略垂直に保持する第３の保持部材と、前記第１ないし第３の保持部材を支持するラック本体とを備え、前記第１ないし第３の保持部材は、レンズ基材に接触する接触部からレンズ基材の厚み方向に延びる水平方向延在部をそれぞれ有し、前記水平方向延在部は、第１ないし第３の保持部材に保持されたレンズ基材より前記厚み方向に離間した位置において前記ラック本体に接続されているものである。
【００１０】
本発明は、前記発明において、前記第１ないし第３の保持部材は、それぞれレンズ基材の厚み方向に延びるように形成され、かつ前記厚み方向の両端部において前記ラック本体にそれぞれ支持され、前記第１ないし第３の保持部材の前記各接触部は、第１ないし第３の保持部材の長手方向において同一位置に位置しかつ前記長手方向に所定の間隔をおいて並ぶように複数ずつ設けられ、前記第１の保持部材の下端部には、この第１の保持部材の長手方向と直交する水平方向から見て谷と山とが交互に繰り返される形状の鋸刃状部が形成されているものである。
【００１１】
本発明は、前記発明において、第２の保持部材と第３の保持部材の前記接触部は、レンズ基材に上端部が接触するように上下方向に延びるアームによって形成され、前記アームは、自らの弾性で前記レンズ基材に押し付けられるように形成されているものである。
【００１２】
本発明は、前記発明において、第１ないし第３の保持部材は、レンズ基材の厚み方向から見てラック本体を挟んで水平方向の一方と他方とにそれぞれ振り分けられるように配設され、前記ラック本体の下端は、第１ないし第３の保持部材の下端より下方に突出する位置に形成されているものである。
【発明の効果】
【００１３】
本発明によれば、第１ないし第３の保持部材に保持されたレンズ基材の下方が開放される。すなわち、前記レンズ基材の下方であって、第１の保持部材と第２の保持部材との間には、上下方向に延びる開放空間が形成される。また、前記レンズ基材の下方であって、第１の保持部材と第３の保持部材との間には、レンズ基材から下方に延びる開放空間が形成される。
【００１４】
このため、本発明に係るレンズ保持用ラックは、前記レンズ基材の厚み方向から見た状態で閉空間が形成されることがない。すなわち、このラックに保持されたレンズ基材を塗布液から引き上げたときに膜や気泡が形成されることはない。したがって、本発明によれば、レンズ基材に膜厚が均一になるように塗膜を形成することでき、塗布不良が発生しないレンズ保持用ラックを提供することができる。
【図面の簡単な説明】
【００１５】
【図１】本発明に係るレンズ保持用ラックの構成を示す斜視図である。
【図２】レンズ保持用ラックの具体例を示す正面図である。
【図３】レンズ保持用ラックの具体例を示す側面図である。
【図４】レンズ保持用ラックの具体例を示す平面図である。
【図５】第１の保持部材を示す図で、同図（ａ）は正面図、同図（ｂ）は側面図である。
【図６】第１の保持部材の接触部を拡大して示す図で、同図（ａ）は正面図、同図（ｂ）は図（ａ）におけるＢ−Ｂ線断面図、同図（ｃ）は図（ａ）におけるＣ−Ｃ線断面図である。
【図７】第２、第３の保持部材の保持部材本体を示す図で、同図（ａ）は正面図、同図（ｂ）は側面図である。
【図８】第１ないし第３の保持部材でレンズ基材を保持した状態を示す正面図である。
【図９】第２の保持部材の取付用ブラケットを示す図で、同図（ａ）は正面図、同図（ｂ）は側面図である。
【図１０】第３の保持部材の取付用ブラケットを示す図で、同図（ａ）は正面図、同図（ｂ）は側面図である。
【図１１】具体例による第１〜第３の保持部材の概略構成を示す斜視図である。
【発明を実施するための形態】
【００１６】
以下、本発明に係るレンズ保持用ラックの一実施の形態を図１〜図１１によって詳細に説明する。
先ず、本発明に係るレンズ保持用ラックの基本的な構成を図１によって説明する。図１に示すレンズ保持用ラック１は、レンズ基材２を略垂直に立てた状態で保持するために、第１〜第３の保持部材３〜５と、これら第１〜第３の保持部材３〜５を支持するラック本体６とを備えている。
【００１７】
前記第１の保持部材３は、前記レンズ基材２の外周部に下方から接触し、レンズ基材２の厚み方向への移動を規制している。
前記第２の保持部材４は、前記レンズ基材２の外周部に水平方向の一方（図１においては左方）から接触してレンズ基材２の厚み方向への移動を規制している。
前記第３の保持部材５は、前記レンズ基材２の外周部に水平方向の他方から接触してレンズ基材２の厚み方向への移動を規制している。
【００１８】
これらの第１〜第３の保持部材３〜５は、レンズ基材２に接触する接触部３ａ，４ａ，５ａからレンズ基材２の厚み方向に延びる水平方向延在部３ｂ，４ｂ，５ｂをそれぞれ有している。この水平方向延在部３ｂ，４ｂ，５ｂは、第１〜第３の保持部材３〜５に保持されたレンズ基材２より前記厚み方向に離間した位置において前記ラック本体６に接続されている。
【００１９】
このように構成されたレンズ保持用ラック１においては、第１〜第３の保持部材３〜５に保持されたレンズ基材２の下方に開放空間Ｓ１，Ｓ２が形成されるされる。すなわち、前記レンズ基材２の下方であって、第１の保持部材３と第２の保持部材４との間には、上下方向に延びるように開放空間Ｓ１が形成される。また、前記レンズ基材２の下方であって、第１の保持部材３と第３の保持部材５との間には、レンズ基材２から下方に延びるように第２の開放空間Ｓ２が形成される。
【００２０】
このため、この実施の形態によるレンズ保持用ラック１は、前記レンズ基材２の厚み方向から見た状態で閉空間が形成されることがない。すなわち、このラック１に保持されたレンズ基材２を塗布液から引き出したときに膜や気泡が形成されることはない。
【００２１】
次に、本発明に係るレンズ保持用ラックの具体例について説明する。本発明に係るレンズ保持用ラックは、具体的には図２〜図４に示すように、多数のレンズ基材２を一度に保持できるように構成される。この具体例によるレンズ保持用ラック１１は、図２に示すように、レンズ基材２の厚み方向から見て、水平方向に並ぶ第１のレンズ保持部１２と第２のレンズ保持部１３とを備えている。
【００２２】
第１のレンズ保持部１２と第２のレンズ保持部１３とは、それぞれ複数のレンズ基材２を厚み方向に一列に並べて保持できるように構成されている。また、これら第１、第２のレンズ保持部１２，１３は、ラック本体６を挟んで水平方向の一方と他方とにそれぞれ振り分けられるように配設されている。この実施の形態による第１のレンズ保持部１２と第２のレンズ保持部１３とは、図２において上下方向に延びる中心線Ｃに対して線対称となるように形成されている。このため、ここでは二つのレンズ保持部１２，１３のうち、図２において右側に位置する第１のレンズ保持部１２について説明し、第２のレンズ保持部１３については、同一符号を付して詳細な説明は省略する。
【００２３】
この具体例によるレンズ保持用ラック１１の第１の保持部材３は、図５および図６に示すように、レンズ基材２の厚み方向｛図５（ａ）においては左右方向｝に延びる支持板１４と、この支持板１４の長手方向の両端部から上方に延びる一対の取付用ブラケット１５，１５とによって構成されている。前記支持板１４の上部には、複数のレンズ基材２を厚み方向に並べて支持できるように、複数の接触部３ａと複数の水平方向延在部３ｂとが交互に並べて形成されている。
【００２４】
前記各接触部３ａ，３ａ…は、図５（ａ）に示すように、レンズ基材２の厚み方向とは直交する水平方向から見て、上方に向けて開放するＶ字状の溝によって形成されている。これらの接触部３ａどうしは、互いに予め定めたレンズ間隔をおいて離間するように形成されている。一方、水平方向延在部３ｂは、上方に向けて凸になる山形状に形成されている。また、支持板１４の上端縁１４ａは、図６（ｂ），（ｃ）に示すように、レンズ基材２の厚み方向から見て断面山形状に形成されている。さらに、接触部３ａには、図６（ｃ）に示すように、上下方向に延びる溝１６が形成されている。この溝１６は、接触部３ａとレンズ基材２のコバ面（外周面）との間から塗布液を流下させるためのものである。この溝１６は、支持板１４の表面と裏面の両方にそれぞれ形成されている。
【００２５】
支持板１４の下端縁１４ｂは、図６（ｂ），（ｃ）に示すようにレンズ基材２の厚み方向から見て断面Ｖ字状に形成されている。これは、支持板１４を塗布液中に浸漬させるときに塗布液が不必要に波立つことがないようにするためである。
この支持板１４の下端部であって、長手方向の中央部には、図５（ａ）および図６（ａ）に示すように、鋸刃状部１７が形成されている。この鋸刃状部１７は、前記長手方向と直交する水平方向から見て谷１７ａと山１７ｂとが交互に繰り返される形状に形成されている。
【００２６】
支持板１４の両端部に設けられた取付用ブラケット１５は、前記支持板１４をラック本体６に接続するためのもので、図２に示すように、支持板１４から前記中心線Ｃ側に延び、この延在端側において上方に延びる形状に形成されている。取付用ブラケット１５の上端部は、第１〜第３の保持部材３〜５に保持されたレンズ基材２より高い位置においてラック本体６に取付けられている。
【００２７】
この具体例によるラック本体６は、図２〜図４に示すように、前記長手方向の両側に位置する一対の枠体２１，２１と、これらの枠体２１どうしを接続する２本の上部バー２２，２２および１本の下部バー２３と、前記枠体２１から下方に延びる一対の補強板２４とを備えている。前記枠体２１は、図１に示すように、前記長手方向から見て下方に向けて開放するコ字状に形成されている。この枠体２１の下端部には、補強板２４の上端部が溶接されている。前記第１の保持部材３の取付用ブラケット１５は、図２に示すように、前記補強板２４の上端部に取付用ボルト２５によって取付けられている。
【００２８】
前記一対の枠体２１の上端部どうしは、前記２本の上部バー２２によって接続されている。枠体２１の下端部どうしは、前記下部バー２３によって接続されている。前記上部バー２２は、ラック本体６を搬送するときに例えば搬送装置（図示せず）に取付けられる。
前記補強板２４は、図１に示すように、下方に延びる逆Ｔ字状に形成されている。これらの補強板２４の下端部は、前記長手方向から見て第１、第２のレンズ保持部１２，１３の下端部と重なるように形成されている。また、補強板２４の下端２４ａは、図３に示すように、第１、第２のレンズ保持部１２，１３の下端より下に位置している。すなわち、ラック本体６の下端は、第１〜第３の保持部材３〜５の下端より下方に突出する位置に形成されている。
【００２９】
この具体例による第２の保持部材４と第３の保持部材５は、図７に示す保持部材本体２６をそれぞれ使用して構成されている。図７に示す保持部材本体２６は、前記レンズ基材２の厚み方向｛図７（ａ）においては左右方向｝に延びるように形成されており、複数の接触部４ａ，５ａを前記厚み方向に並べて一体に形成した構造が採られている。
第２、第３の保持部材４，５の前記接触部４ａ，５ａは、レンズ基材２に上端部が接触するように上下方向に延びる複数のアーム２７によって構成されている。第２、第３の保持部材４，５の前記水平方向延在部４ｂ，５ｂは、各アーム２７の下端部どうしを接続するサイドプレート２８によって構成されている。
【００３０】
各アーム２７は、図７（ａ）に示すように、上下方向に延びるアーム本体２７ａと、このアーム本体２７ａの上端部に溶接された保持体２７ｂとによって構成されている。アーム本体２７ａは、前記サイドプレート２８と一体に形成されており、図７（ｂ）に示すように、レンズ基材２の厚み方向から見てレンズ基材２の側方に向けて凸になる山形状に折り曲げられている。また、各アーム本体２７ａは、前記レンズ間隔をおいて前記レンズ基材２の厚み方向に並べられている。このアーム本体２７ａおよび前記サイドプレート２８は、弾性材料によって形成されている。
【００３１】
前記保持体２７ｂは、図７（ａ）に示すように、前記厚み方向とは直交する水平方向から見てＹ字状に形成されている。すなわち、この保持体２７ｂの上端部内にレンズ基材２の外周部が挿入されることによって、レンズ基材２の厚み方向への移動が規制される。
第２の保持部材４は、前記保持部材本体２６と、この保持部材本体２６の長手方向の一端部２６ａ｛図７（ａ）においては右側の端部｝に取付けられた取付用ブラケット２９（図２および図９参照）とによって構成されている。取付用ブラケット２９は、保持部材本体２６の前記一端部２６ａから上方に延び、上部において前記中心線Ｃ側に延びるように形成されている。取付用ブラケット２９の下端部には、図９に示すように、取付片２９ａが設けられている。この取付片２９ａは、保持部材本体２６の一端部２６ａに重ねられ、取付用ボルト（図２，３参照）３０によって取付けられている。
【００３２】
この取付用ブラケット２９の上側の先端部は、ラック本体６の二つの枠体２１，２１のうち、一方の枠体２１に前記第１の保持部材３の取付用ブラケット１５とともに取付用ボルト２５によって取付けられている。すなわち、第２の保持部材４の一端部は、ラック本体６に支持されている。
前記保持部材本体２６の他端部２６ｂは、図４に示すように、前記第１の保持部材３の支持板１４に連結用ロッド３１によって連結されている。すなわち、第２の保持部材４の他端部は、第１の保持部材３を介してラック本体６に支持されている。前記連結用ロッド３１は、図５に示すように、第１、第２の保持部材３，４の水平方向延在部３ｂ，４ｂどうしを接続している。
【００３３】
この具体例による第２の保持部材４は、図２に示すように、第１の保持部材３の側方に並ぶようにラック本体６に取付けられている。すなわち、第２の保持部材４の下端部（前記サイドプレート２８）は、図２に示すように、前記支持板１４と略同じ高さに配置されている。また、第２の保持部材４の保持部材本体２６は、前記支持板１４の一側方に予め定めた距離だけ離間した位置に配置されている。また、第２の保持部材４の接触部４ａ（アーム２７）は、保持部材本体２６の長手方向において、第１の保持部材３の接触部３ａと同一位置に位置付けられている。
【００３４】
第３の保持部材５は、前記保持部材本体２６と、この保持部材本体２６の長手方向の一端部２６ａ｛図７（ａ）においては右側の端部｝に取付けられた取付用ブラケット３２（図１および図１０参照）とによって構成されている。この取付用ブラケット３２は、保持部材本体２６の前記一端部２６ａから上方に延び、上部において前記中心線Ｃ側に延びるように形成されている。取付用ブラケット３２の下端部には、図１０に示すように、取付片３２ａが設けられている。この取付片３２ａは、保持部材本体２６の一端部２６ａに重ねられ、取付用ボルト（図２，３参照）３３によって取付けられている。
【００３５】
この取付用ブラケット３２の上側の先端部は、前記第２の保持部材４が取り付けられている枠体２１とは異なる他方の枠体２１に、前記第１の保持部材３の取付用ブラケット１５とともに取付用ボルト２５によって取付けられている。
すなわち、第３の保持部材５の一端部は、ラック本体６に支持されている。
【００３６】
第３の保持部材５を構成する保持部材本体２６の他端部２６ｂは、図４に示すように、前記第１の保持部材３の支持板１４に連結用ロッド３４によって連結されている。すなわち、第３の保持部材５の他端部は、第１の保持部材３を介してラック本体６に支持されている。前記連結用ロッド３４は、図５に示すように、第１、第３の保持部材３，５の水平方向延在部３ｂ，５ｂどうしを接続している。
【００３７】
この具体例による第３の保持部材５は、図２に示すように、第１の保持部材３を挟んで反対側に位置するように設けられている。すなわち、第３の保持部材５の下端部（サイドプレート２８）は、前記支持板１４と略同じ高さに配置されている。また、この保持部材本体２６は、第２の保持部材４の保持部材本体２６とは前記支持板１４を挟んで反対側に予め定めた距離だけ離間した位置に配置されている。さらに、第３の保持部材５の接触部５ａ（アーム２７）は、保持部材本体２６の長手方向において、第１、第２の保持部材３，４の接触部３ａ，４ａと同一位置に位置付けられている。
【００３８】
第２の保持部材４のアーム２７と、第３の保持部材５のアーム２７の保持体２７ｂどうしの間隔は、レンズ基材２の外径より狭くなるように設定されている。レンズ基材２を第１〜第３の保持部材３〜５に保持させるためには、前記保持体２７ｂ，２７ｂどうしの間にレンズ基材２を上方から挿入することによって行う。すなわち、保持体２７ｂ，２７ｂ間にレンズ基材２を上方から挿入することによって、レンズ基材２の外周部が保持体２７ｂを側方に押し、アーム２７，２７がレンズ基材２を挟みながら弾性変形して開く。そして、レンズ基材２は、第１の保持部材３の上に載置されることにより、外周部にアーム２７が押し付けられる状態でアーム２７に保持される。このため、図８に示すように、第１の保持部材３の支持板１４の上に載せられたレンズ基材２を第２、第３の保持部材４，５のアーム２７で水平方向の両側から把持することができる。
【００３９】
第１〜第３の保持部材３〜５は、それぞれレンズ基材２の厚み方向に延びるように形成されているから、上述したように第１〜第３の保持部材３〜５にレンズ基材２が保持された状態においては、レンズ基材２の下方が広く開放された状態になる。すなわち、レンズ基材２の下方であって、第１の保持部材３と第２の保持部材４との間には、上下方向に延びる開放空間Ｓ１（図４参照）が形成される。また、前記レンズ基材２の下方であって、第１の保持部材３と第３の保持部材５との間には、レンズ基材２から下方に延びる開放空間Ｓ２（図４参照）が形成される。
【００４０】
このため、このレンズ保持用ラック１１は、レンズ基材２の厚み方向から見た状態で閉空間が形成されることがない。なお、図８においては、第１の保持部材３と第２、第３の保持部材４，５との間にそれぞれ連結用ロッド３１，３４が位置しており、あたかもレンズ基材２の下方に閉空間が形成されているように見える。しかし、連結用ロッド３１，３４は、第１〜第３の保持部材３〜５の水平方向延在部３ｂ，４ｂ，５ｂどうしを接続するものであり、接触部３ａ，４ａ，５ａとは前記厚み方向に離間しているから、接触部３ａ，４ａ，５ａから連結用ロッド３１，３４に達するような膜が形成されることはない。
【００４１】
上述したように構成されたレンズ保持用ラック１１は、第１のレンズ保持部１２と第２のレンズ保持部１３とにそれぞれ複数枚ずつレンズ基材２を保持した状態で図示していない塗布液槽内に浸漬させられる。このとき、レンズ保持用ラック１１は、塗布液槽の液面が図２中に二点鎖線Ｌで示す位置に達するように塗布液槽内に浸漬させられる。そして、このレンズ保持用ラック１１は、浸漬後に所定の時間が経過した後、塗布液槽から引き上げられる。
【００４２】
この実施の形態によるレンズ保持用ラック１１は、上述したようにレンズ基材２の下方に開放空間Ｓ１，Ｓ２が形成されており、レンズ基材２の厚み方向から見た状態で閉空間が形成されることがない。したがって、ラック１１に保持されたレンズ基材２を塗布液から引き上げたときに膜や気泡が形成されることはない。この結果、この実施の形態によれば、レンズ基材２に膜厚が均一になるように塗膜を形成することでき、塗布不良が発生しないレンズ保持用ラックを提供することができる。
【００４３】
この実施の形態によるレンズ保持用ラック１１の第１〜第３の保持部材３〜５は、それぞれレンズ基材２の厚み方向に延びるように形成され、かつ前記厚み方向の両端部において前記ラック本体６にそれぞれ支持されている。これら第１〜第３の保持部材３〜５の前記各接触部３ａ，４ａ，５ａは、第１〜第３の保持部材３〜５の長手方向において同一位置に位置しかつ前記長手方向に所定の間隔をおいて並ぶように複数ずつ設けられている。
【００４４】
このため、この実施の形態によるレンズ保持用ラック１１は、図４に示すように、上方から見ると第１〜第３の保持部材３〜５とラック本体６とによって囲まれた閉空間が形成され、塗布液槽から引き上げるときにこの閉空間に膜が形成されるおそれがある。しかし、第１の保持部材３の下端部に形成されている前記鋸刃状部１７が膜を破るから、前記閉空間に膜が形成されることはない。
したがって、この実施の形態によれば、多数のレンズ基材２に塗膜を正しく形成することが可能なレンズ保持用ラックを提供することができる。
【００４５】
この実施の形態による第２の保持部材４と第３の保持部材５の前記接触部４ａ，５ａは、レンズ基材２に上端部が接触するように上下方向に延びるアーム２７によって形成されている。前記アーム２７は、自らの弾性で前記レンズ基材２に押し付けられるように形成されている。
このため、第２、第３の保持部材４，５によってレンズ基材２を把持できるから、塗布液槽から引き上げるときに何らかの原因でラック１１に衝撃が加えられたとしても、レンズ基材２が振動することはない。したがって、この実施の形態によれば、レンズ面に形成された塗膜が濡れている状態で強く揺らされるようなことを防ぐことができるから、より一層品質が高い塗膜を形成することができる。
【００４６】
この実施の形態による第１〜第３の保持部材３〜５は、図２に示すように、レンズ基材２の厚み方向から見てラック本体６を挟んで水平方向の一方と他方とにそれぞれ振り分けられるように配設されている。また、前記ラック本体６の下端（前記補強板２４の下端２４ａ）は、図３に示すように、第１〜第３の保持部材３〜５の下端より下方に突出する位置に形成されている。
このため、上方から見て一方の第１〜第３の保持部材３〜５からなる第１のレンズ保持部１２と、他方の第１〜第３の保持部材３〜５からなる第２のレンズ保持部１３との間に閉空間が形成され、塗布液槽から引き上げるときにこの閉空間に膜が形成されるおそれがある。しかし、ラック本体６の下端が膜を破るから、塗布液槽から引き上げるときに前記閉空間に膜が形成されることはない。
したがって、この実施の形態によれば、塗膜の品質を高く保ちながら、１度に保持するレンズ基材２の個数をさらに増大させることができる。
【符号の説明】
【００４７】
１，１１…レンズ保持用ラック、３…第１の保持部材、４…第２の保持部材、５…第３の保持部材、３ａ，４ａ，５ａ…接触部、３ｂ，４ｂ，５ｂ…水平方向延在部、６…ラック本体、１４…支持板、１５，２９，３２…取付用ブラケット、１７…鋸刃状部、２１…枠体、２２…上部バー、２３…下部バー、２４…補強板、２７…アーム、２７ｂ…保持体、２８…サイドプレート。
【図１】
2012048005.tif 000003
【図２】
2012048005.tif 000004
【図３】
2012048005.tif 000005
【図４】
2012048005.tif 000006
【図５】
2012048005.tif 000007
【図６】
2012048005.tif 000008
【図７】
2012048005.tif 000009
【図８】
2012048005.tif 000010
【図９】
2012048005.tif 000011
【図１０】
2012048005.tif 000012
【図１１】
2012048005.tif 000013